Podtech/llm-jp-corpus-v4-ja_patent huggingface dataset:
(57)【要約】  【課題】  超小型で人が片手で操作できる破砕機を提供する。  【解決手段】  片手で握持する握り部材６を備えた本体１に、被破砕物を破砕する挟圧爪８，８を開閉可能に枢着する。そして、挟圧爪８，８の開閉操作手段を、前記握り部材６に連けいする。【選択図】    図１
2006068637.tif 000002
【特許請求の範囲】
【請求項１】
片手で握持する握り部材を備えた本体に、被破砕物を破砕する挟圧爪を開閉可能に枢着し、該挟圧爪の開閉操作手段を前記握り部材に連けいした、破砕機。
【請求項２】
挟圧爪と握り部材との間に保護カバーを設けた、請求項１記載の破砕機。
【請求項３】
本体に基筒を通じて手先を挿入する係合間隙を設け、該係合間隙に握り部材を装置した請求項１又は２記載の破砕機。
【発明の詳細な説明】
【技術分野】
【０００１】
本発明は、建物のコンクリートや鉄筋などを破砕するために用いる破砕機に関するものである。
【背景技術】
【０００２】
従来室内の内装解体手段としては、大きなハンマを用いて、被破砕物に打撃を与えて解体するか、又はのこぎり（鋸）による切断、油圧バンド破砕機による解体、ミニショベルの入り込める場合のみにショベルに装着した解体機による解体等がある。
【発明の開示】
【発明が解決しようとする課題】
【０００３】
しかしながら、大ハンマによる打撃及び鋸による切断の方法は、騒音、振動等が生じ、油圧バンド破砕機による方法は重量があって重く、１人では操作が難しい。又、エレベータのない多層階や一般住宅では使用できない。本発明は、斯様な従来例の欠点に着目して、室内の壁面、内装等の解体を簡便に行うことのできる破砕機を提供することを目的として創案したものである。
【課題を解決するための手段】
【０００４】
片手で握持する握り部材を備えた本体に、被破砕物を破砕する挟圧爪を開閉可能に枢着し、該挟圧爪の開閉操作手段を前記握り部材に連けいしたことを基本的手段とする。
【０００５】
また、この基本的手段に、挟圧爪と握り部材との間に保護カバーを設けた構成を付加することにより、破砕機に飛散する破砕屑から握り材を握った手先を保護し、従って、安全性の高いハンディタイプの破砕機を提供できる。
【０００６】
また、本体に基筒を通じて手先を挿入する係合間隙を設け、該係合間隙に握り部材を装置した構成を用いることにより、基筒が握り材を握った状態の腕先の位置決め材となり、この結果、被破砕物に対して挟圧爪を正位置に配して破砕作業を行うことができ、誤作業を回避して作業性を高めることができる。
【発明の効果】
【０００７】
本発明によれば、内装材に使用される軽量コンクリート壁や石膏ボード壁などの破砕を片手で円滑、簡便に行うことができる。
【実施例】
【０００８】
図面は本発明に係る破砕機の一実施例を示し、図１は斜視図、図２は挟圧爪を開いた状態の斜視図、図３は使用状態を示す斜視図である。
【０００９】
図中、１は片手で操作可能な重さにした破砕機Ａの本体で、本体１は支持盤２と短い円筒状の基筒３を一対の側盤４，４を介して互いに連設し、側盤４，４間を前記基筒３を通じて挿入する手先の係合間隙５とし、該係合間隙５の前後方向中間部に前記側盤４，４間に架設するようにして握り材６を設け（両端を側盤４に熔接して）、該握り材６と前記支持盤２間に、前記係合間隙５の奥端縁に沿うようにして支持盤２の各片面２´から一半７´側を突設するようにして半球状の保護カバー７を設け、保護カバー７で破砕作業時に前記握り材６を握った手先を套装するようにしたものである。
【００１０】
この本体１の前記支持盤２には、該支持盤２の板厚方向に直交する方向にして設けた間隙９に一端部を係合させた左右一対の挟圧爪８，８を、前記一端部においてボルト１０とナット１１により回動自在に枢着し、各挟圧爪８，８の他の一端部にはピストン杆１２ａとシリンダ１２ｂとで成る油圧駆動機構１２の前記ピストン杆１２ａの先端を枢支ピン１３で回動自在に枢着し、油圧駆動機構１２の前記シリンダ１２ｂの基端部は前記側盤４の前記基筒３側端部に設けた部片４ａに前記間隙９を利用して枢支ピン１３Ａで回動自在に枢着してある。すなわち、挟圧爪８，８は各油圧駆動機構１２の作動によって互いに同期してボルト１０（枢軸）を中心にして回動（開閉）して被破砕物ｂを挟圧して破砕するようにしてある。
【００１１】
この破砕操作は、互いに同期して動作するように各油圧駆動機構１２，１２を連けいした油圧パワーユニット１７に導通させ、前記握り材６に、該握り材６を握った状態で指先で操作可能に装置したスイッチ１８を操作することによって行われる。
【００１２】
なお、挟圧爪８の基部側には例えば、鉄筋を切断するための切断刃２９，２９を備えているが、これは省略しても不都合はない。
【００１３】
また、実施例は、支持盤２の片面側を構成する部片と該部片に前記側盤４，４の片面側を構成する一対の分岐部片とから成り、しかも、前記間隙９が存するように重ね合わせて基筒３に連続させた一対の、平面視ややＵ字形の平板体１Ａ，１Ａで本体１の一部を構成するようにしてあるが、これは平板体１Ａ，１Ａ間の間隙分、本体１を軽量化するためである。
【００１４】
しかして、基筒３を通じて手先を係合間隙５内に挿入して握り材６を握り、適宜、スイッチ１８を操作して、油圧パワーユニット１７に連けいした油圧駆動機構１２を作動させて枢軸であるボルト１０を中心にして回動させて挟圧爪８，８を開閉させると、該挟圧爪８，８の閉じる力で被破砕物は破砕され、破砕作業を行うことができるのである。
【００１５】
なお、図示１９は、補助ハンドルで、補助ハンドル１９は金属杆を三角形状に折り曲げて構成した主体枠２０の、三角形の底辺に対応する基部片２０ａを、前記支持盤２の相対する片面の、挟圧爪８，８間乃至ボルト１０，１０間の中央部に突設するようにして配置し、該基部片２０ａ間に配した対称的な傾斜部片２０ｂをそれぞれ支持盤２の前記片面側に配し、これに握り部２１を取り付けてハンドル部１９Ａ，１９Ａとしたもので、ハンドル部１９Ａ，１９Ａを前記挟圧爪８や支持盤２部を対称軸とした対称位置に配し、左右いずれの利き手にも使用できるようにしたものである。この補助ハンドル１９を、図３で示すように必要に応じて（概し、被破砕物が硬質なとき）用い（図３は右利きの場合を示す）、木質材などの軟いものの場合は、これを用いないのが常態である。
【００１６】
補助ハンドル１９の各ハンドル部１９Ａ，１９Ａには、例えば、前記主体枠２０（傾斜部片２０ｂの両端部）を利用して、前記保護カバー７と同旨の保護カバーを設けることが望ましい。
【００１７】
また、挟圧爪８，８の開閉は油圧駆動機構１２に代えて、エアー駆動或いは電動駆動の各機構を用いてもよい（これらの場合、ユニット装置が対応するものとなることはいうまでもない）。
【図面の簡単な説明】
【００１８】
【図１】斜視図。
【図２】挟圧爪を開いた状態の斜視図。
【図３】使用状態を示す斜視図。
【符号の説明】
【００１９】
１      本体
６      握り部材
８      挟圧爪
【図１】
2006068637.tif 000003
【図２】
2006068637.tif 000004
【図３】
2006068637.tif 000005
(57)【要約】【課題】物干し棒にハンガーなどを用いて洗濯物を干す場合、傾斜や風などの影響を受けると、洗濯物が物干し棒沿いにすべり移動することで、洗濯物どうしが接近または密着し乾きにくくなっていた。【解決手段】シリコン、樹脂系などの材質を用いたテープ２に例えば複数のおうとつ３ａ及び３ｂを設けることで、その溝にあたる部分３ａがハンガー４などのフックを固定しすべりを止めることにより、状況が変化しても任意の間隔を保つことができ、通風や日照などの乾燥に適した状態が維持される。既存の物干し棒１に、すべり止めテープ２を必要な部分の長さにカットし貼り付け、用いることが簡単にできる。【選択図】図１
2006068465.tif 000002
【特許請求の範囲】
【請求項１】
既存の物干し棒に貼り付け、洗濯ハンガーなどのフックを物干し棒に固定しすべりを止めるための、複数のおうとつを設けたことを特徴とするテープ。
【発明の詳細な説明】
【技術分野】
【０００１】  この発明は、洗濯に用いる物干し棒に関する。
【背景技術】
【０００２】  既製の物干し棒は、竹やスチールか、それにビニールをコーテイングしたもの、もしくはステンレス製のいずれも円筒形をした棒である。
【発明の開示】
【発明が解決しようとする課題】
【０００３】以上の技術によれば、洗濯物にハンガーを用いて干す場合、傾斜や風などの影響をうけると、洗濯物どうしが接近、密着し乾きにくかった。
そこで、この発明は、状況が変化してもハンガーなどが移動せず乾燥に適した間隔を保てる物干し具を提供することを課題とする。
【課題を解決するための手段】
【０００４】  以上の課題を解決するため、既存の物干し棒に貼り付け、洗濯ハンガーなどのフックを物干し棒に固定しすべりを止めるための、複数のおうとつを設けたことを特徴とするテープである。
【発明の効果】
【０００５】  この発明によれば、ハンガーを用いた洗濯物が片寄らず、適当な間隔が保て乾きやすい。
【発明を実施するための最良の形態】
【０００６】  この発明の一実施形態を、図１に示す。
物干し棒１は、竹または金属製のいずれも円筒形をしている。この上面に複数のおうとつを設けたテープ２を貼り付ける。【０００７】「実施形態の効果」
この実施形態によれば、テープ２に設けたおうとつの溝部分３ａの働きで、ハンガー４のフックが固定されることにより、傾斜や風などの影響を受ける事なく乾燥に適した間隔を維持できる。【０００８】「他の実施形態」
図１の実施形態では、テープ２のおうとつ３ａ及び３ｂは溝を切り込んだ形状で間隔は均等であったが、他の実施形態では、このおうとつ部分の間隔、溝の深さや、突起部分３ｂを半円球状にし、水や汚れを溜まり難くしたものでも良い。
【図面の簡単な説明】
【０００９】
【図１】この発明の一実施形態を示す斜視図である。
【図２】従来技術を示す斜視図である。
【符号の説明】
【００１０】１  物干し棒      ２  テープ（すべり止め）
３ａ及び３ｂ  おうとつ部      ４  ハンガー
【図１】
2006068465.tif 000003
【図２】
2006068465.tif 000004
(57)【要約】【課題】洗濯物に用いる洗濯バサミの形状は、ハンガーと独立しているので衣類のシャツ等の首周りの、伸びがふさぎにくく、また、風などで洗濯バサミや洗濯物が落ちることがあった。さらに、洗濯バサミをハンガーとは別に収納保管するのも干す度に取り出さなければならなかった。【解決手段】ハンガー本体と洗濯バサミを一体化させるために、ベルト中央に穴をあけ、両端にクリップの付いた洗濯バサミを設ける。ハンガーフック部からベルトの穴を通して、一体化させる。穴は様々な形状のハンガーがあるので、針金ハンガー用や少し太目のハンガー用と穴の大きさを複数設けても良い。両端のクリップ部の形状も複数設けて良い。【選択図】図１
2006068470.tif 000002
【特許請求の範囲】
【請求項１】
ハンガーのフック部に着脱可能になるよう、ベルトの中央に穴を開け、両端にクリップがついた洗濯ばさみ。
【請求項２】
前記ベルトの部分は、ハンガーの端から端までの長さよりやや短めであることを特徴とする請求項１記載の洗濯ばさみ。
【請求項３】
衣類等をハンガーにかけやすくするよう、中央の穴のすぐ横のベルト部分が折り曲げ可能な形態にしてあることを特徴とする請求項１記載の洗濯バサミ。
【発明の詳細な説明】
【技術分野】
【０００１】  この発明は、洗濯物を干す時に用いる洗濯ばさみの形状に関する。
【背景技術】
【０００２】  従来の洗濯干しに用いる洗濯ばさみの形状は、図２に示すように、ハンガー本体１と繋がって
おらず、洗濯ばさみ２を洗濯物３の上から独立して使用するよう設けられたものである。
【発明の開示】
【発明が解決しようとする課題】
【０００３】しかしながら、以上の技術によれば、洗濯ばさみがハンガーの両端部分から下に落ちやすく、シャツ等の首の部分が伸びやすくなるうえ、特に風が強いときは、洗濯物が下に落ちることがあった。さらに洗濯バサミをその都度置いてある場所から取る動作も洗濯物の量が多い時は大変であった。
そこで、この発明は、洗濯ばさみが落ちず、洗濯物の形状を保ち、洗濯バサミを取りに行く手間を省いたベルト付洗濯ばさみを提供することを課題とする。
【課題を解決するための手段】
【０００４】  以上の課題を解決するために、第一発明は、ハンガーに着脱可能にする為に、ベルトの中央に穴を開け、穴の横のベルト部を折り曲げ可能な形状にし、両端にクリップを設けたことを特徴とする洗濯バサミである。ベルト中央の穴の大きさはハンガーの形状が複数あるため、大・中・小と大きさを変えても良い。
【発明の効果】
【０００５】  第一発明によれば、洗濯物の形状を保ちやすくし、シャツなどの衣類の首回りの伸びを防ぐ事が出来る。折り曲げ可能な形状にする事によって、洗濯物をハンガーにかけやすくなる。さらに、強風による洗濯物の落下を防ぐ事も出来るし、ハンガーと一体化する事によって、洗濯バサミの収納も楽になる。さらに、洗濯物が多い時には、靴下やハンカチなどの小物が１本のハンガーで同時に干せ、干す場所を有効に使える。
【発明を実施するための最良の形態】
【０００６】  この発明の一実施形態を、図１に示す。
ハンガー本体１は通常家庭で使用されているフック部のついた三角のハンガーであり、この本体１の竿等に吊るすフック部分からベルト付洗濯バサミ４の中央の穴を通し、一体化させる。そして、洗濯物３をハンガー本体１にかけた時にベルト付洗濯バサミ４で止めるよう設けられている。【０００７】「実施形態の効果」
この実施形態によれば、ベルト付洗濯バサミ４の働きで、洗濯物３の形状を保ちやすい。したがって、衣類の伸びを防ぐ事が出来る。強風が吹いてもハンガー本体１と一体化しているのでベルト付洗濯バサミ４も洗濯物３も飛んでいかない。【０００８】「他の実施形態」
図１の実施形態では、ハンガー本体１にかけた洗濯物３をベルト付洗濯バサミ４でとめていたが、他の実施形
態では、ハンガーにかけた洗濯物と別の洗濯物をベルト付洗濯バサミ４でとめても良い。干す場所を取らずにすむ。
【図面の簡単な説明】
【０００９】
【図１】この発明の一実施形態を示す斜視図である。
【図２】従来技術を示す斜視図である。
【符号の説明】
【００１０】１  ハンガー本体            ２  洗濯バサミ
３  洗濯物                  ４  ベルト付洗濯バサミ
【図１】
2006068470.tif 000003
【図２】
2006068470.tif 000004
(57)【要約】【課題】  ステンレス鋼材製の円柱材を錘材として用いるカーテン用ウエイトにおいて、錘材の柔軟な屈折を阻害せず、また両端の角部が被覆材を介して外部に顕在化したり、被覆材を損傷させたりすることのないものを提供する。【解決手段】  ステンレス鋼材等の円柱状の多数の錘材を軸線方向に並べて柔軟な被覆材で被覆してウエイトを構成するが、各錘材の軸線方向の両端をほぼ截頭円錐形状、あるいはほぼ半球形状のような曲面に面取りしておく。錘材の両端が面取りされているため、被覆材の中で隣接する錘材が端面を接しても、互いに円滑に転接、摺動し、また各錘材の端が被覆材の外側へ顕在化しないので、ウエイト全体として柔らかく曲線状に屈曲するし、被覆材を損傷させることもない。【選択図】  図１
2006068418.tif 000002
【特許請求の範囲】
【請求項１】
耐食性金属製で円柱状の多数の錘材を軸線方向に並べて柔軟な被覆材で被覆してなり、
前記各錘材の軸線方向の両端部が、ほぼ截頭円錐形状に面取りされていることを特徴とするカーテン用紐状ウエイト。
【請求項２】
耐食性金属製で円柱状の多数の錘材を軸線方向に並べて柔軟な被覆材で被覆してなり、
前記各錘材の軸線方向の両端部が、曲面に面取りされていることを特徴とするカーテン用紐状ウエイト。
【請求項３】
前記錘材が、ステンレス鋼製であることを特徴とする請求項１又は２に記載のカーテン用紐状ウエイト。
【請求項４】
前記被覆材が、編組物であることを特徴とする請求項１ないし３のいずれかに記載のカーテン用紐状ウエイト。
【発明の詳細な説明】
【技術分野】
【０００１】
この発明は、カーテンのしわをなくし、プリーツを美しく表現するために、カーテンの裾に縫い付けて用いられる紐状のウエイトに関するものである。
【背景技術】
【０００２】
カーテン用の紐状ウエイトとして、図３に示すように、円柱状の多数の鉛製錘材１２を軸線方向に並べて柔軟な芯線材１４で数珠状に連結した重錘体を編組物１３で被覆した形態のものが公知である（例えば特許文献１参照）。重錘体は次のように製作される。鉛線材の側面に軸線方向に線状溝を連続的に加圧形成し、この線状溝に芯線材を挿入した後、線状溝を加圧閉鎖して芯入り鉛線材を形成する。次に、この芯入り鉛線材を一対の歯車状ダイスを対向させた打刻装置に通し、芯線材を残して鉛線材のみを所定間隔に切断する。切断工程において、円柱状の錘材１２の両端部には、先端側に集合する２つの斜面１２ａが形成される。
近年、鉛の毒性が注目され、カーテン用ウエイトとしても鉛の使用が忌避されるようになった。そこで、鉛材に代えて、ステンレス鋼材製の円柱材を錘材とし、これを軸線方向に並べて筒状被覆体で被覆することが代替案として提案されている。この錘材は、ステンレス鋼線材を所定間隔で軸線直交方向に切断して形成されるので、両端面は軸線直交平面となっている。ステンレス鋼線材内に芯線材を挿入することはできないから、錘材は各個独立で筒状被覆体内に挿入される。
【特許文献１】特公昭５１−９０５７号公報
【発明の開示】
【発明が解決しようとする課題】
【０００３】
ステンレス鋼材製の円柱材を錘材として用いる上記従来のカーテン用ウエイトにおいては、各錘材の両端面が軸線直交平面となっているため、被覆材内で接近しすぎると、相互に屈折することができず、複数が連続した円柱状となって、全体として柔軟に屈曲することができない。各錘材間に適当な間隔が置かれている場合でも、屈曲させると錘材の両端の角部が被覆材を介して外部に顕在化し、また繰り返しの屈曲により角部が被覆材を破って露出することがある。いずれの場合も、カーテンの柔らかい曲線状のプリーツを美しく表現することができない。
したがって、この発明は、ステンレス鋼材製の円柱材を錘材として用いるカーテン用ウエイトにおいて、錘材の柔軟な屈折を阻害せず、また両端の角部が被覆材を介して外部に顕在化したり、被覆材を損傷させたりすることのないものを提供することを課題としている。
【課題を解決するための手段】
【０００４】
この発明においては、上記課題を解決するため、ステンレス鋼材等の円柱状の多数の錘材を軸線方向に並べて柔軟な被覆材で被覆してウエイトを構成するが、各錘材の軸線方向の両端をほぼ截頭円錐形状、あるいはほぼ半球形状のような曲面に面取りしておく。
【発明の効果】
【０００５】
錘材の両端が面取りされているため、被覆材の中で隣接する錘材が端面を接しても、互いに円滑に転接、摺動し、また各錘材の端が被覆材の外側へ顕在化しないので、ウエイト全体として柔らかく曲線状に屈曲するし、被覆材を損傷させることもない。
【発明を実施するための最良の形態】
【０００６】
図面を参照してこの発明の実施の形態を説明する。図１はカーテン用ウエイトの一部を切り欠いた正面図、図２は錘材の正面図である。
【０００７】
図において、カーテン用ウエイト１は、ステンレススチールのような耐食性金属製で、直径３mm程度の円柱状の多数の錘材２を軸線方向に並べて柔軟な被覆材３で被覆し、全体を紐状に構成してなる。使用に当たっては、この紐状のウエイト１をカーテンの下縁に縫い付ける。
【０００８】
被覆材３は、好ましくは編組物で構成される。各錘材２は、図２に示すように、軸線方向の両端部が、ほぼ半球形状２ａのような曲面またはほぼ截頭円錐形状２ｂに面取りされている。錘材２は、線材をヘッダー加工する等の適宜の方法で製作される。面取部は、いずれも幾何学的に正確な半球形状、截頭円錐形状である必要は全くない。円柱の両端周縁部のみを曲面に面取りし、両端の中央部に平面が残っていてもよい。
【０００９】
錘材の両端が面取りされているため、被覆材３の中で隣接する錘材２が端面を接しても、互いに円滑に転接、摺動する。従って、隣接するもの同士が棒状に長く結合された状態になることがない。またウエイト１が屈曲したときに、各錘材２の端が被覆材の外側へ顕在化しない。このため、ウエイト１全体として、柔らかく曲線状に屈曲し、カーテンに取り付けたときに、カーテンの下縁に滑らかなウエーブを形成することができる。屈曲を繰り返しても、錘材２に被覆材に接触する角部がないので、被覆材を損傷させることがなく、長期の使用に耐える。
【産業上の利用可能性】
【００１０】
この発明は、その重量でカーテンのしわをなくし、また滑らかに湾曲してプリーツを美しく表現するために、カーテンの裾に縫い付けて用いられる。
【図面の簡単な説明】
【００１１】
【図１】カーテン用ウエイトの一部を切り欠いた正面図である。
【図２】錘材の正面図である。
【図３】従来のカーテン用ウエイトの一部を切り欠いた正面図である。
【符号の説明】
【００１２】
１    カーテン用ウエイト
２    錘材
２ａ  面取部
２ｂ  面取部
３    被覆材
１２  錘材
１２ａ  斜面
１３    編組物
１４    芯線材
【図１】
2006068418.tif 000003
【図２】
2006068418.tif 000004
【図３】
2006068418.tif 000005
(57)【要約】【課題】傘を閉じた後、継続して傘骨を瞬時にまっすぐのばし、完全に閉じる機能をもたせる。【解決手段】傘の骨に円になるように、ひも通しの穴１〜８をつけたものであり、１，２，３，４，５の穴に、ひも９（摩擦力の少ないテグス、釣り糸など）を１本通し、５，６，７，８，１の穴にひも９を１本通す。計２本のひもの両端４本をまとめて引くことにより、傘の骨をまっすぐにのばし、完全に閉じることを特徴とする。【選択図】  図１
2006068475.tif 000002
【特許請求の範囲】
【請求項１】
傘の骨に円になるように、ひも通しの穴をつけたものであり、前記の穴にひも（摩擦力の少ないテグス、釣り糸など）を通し、ひもを引くことにより、傘の骨をまっすぐにのばし、完全に閉じることを特徴とする傘。
【発明の詳細な説明】
【技術分野】
【０００１】本発明は、一般に使われている雨傘、日傘などの傘に関する。
【背景技術】
【０００２】従来の傘の骨は、傘を閉じたとき、構造上途中まで閉じることはできるが、完全に閉じることはできない。すなわち半開きの状態である、その為最終的に、人の手により、骨をまっすぐに伸ばして閉じ、布を巻き取るので、閉じづらさや、巻き取りづらさがある。又、歩きながら完全に閉じるのは困難であり、まして、あまつゆで手が汚れるのをきらう人は、半開きのまま傘を持って歩くしかないので、歩きづらい。特にラッシュ時の電車やバスなどは、傘についたあまつゆが他人にあたり、迷惑をかけることになる。【０００３】傘の骨が折れる原因は、強風以外には、半開きの傘を持って歩き、どこかで骨を引っ掛けて曲げてしまうことが大半である。１本の骨折れが、１本の傘を買い換えることになり、消費者にとっては、多大な損失となる。
【発明の開示】
【発明が解決しようとする課題】
【０００４】上述の如く、従来技術による傘の骨は、一度半開きで閉じてから、人の手により、骨を伸ばし、閉じる方法であるため一度で完全に閉じるのは難しい。
【課題を解決するための手段】本発明は、一度半開きで閉じ、継続してひもを引くことにより、瞬時に傘の骨がまっすぐに伸び、完全に閉じることを特徴とする。
【発明の効果】
【０００５】上記説明のように、ひもを引くことにより、歩きながらでも、手を汚すことなく、瞬時に傘を閉じることができる。しかも傘の骨はまっすぐに伸び、完全に閉じているので、どこかに引っ掛けて、骨を曲げ、買い換える心配もないため、消費者の損失を未然に防止することができる。又、骨はまっすぐに伸びた状態なので、傘の布の巻き取りも簡単にできる。
【発明を実施するための最良の形態】
【０００６】以下、本発明の実施の形態を図面に基づき詳細に説明する。【０００７】図１は開いたときの傘骨に、円になるように１〜８にひも通しの穴をつけ、ひも９を１，２，３，４，５に１本通し、５，６，７，８，１に１本、計２本通したものである。【０００８】図２は、ひも通しの穴１，５の拡大図である。この部分はひもが２本通る箇所なので、ひもが重ならないように、穴を２つ設けてある。【０００９】図３は傘を閉じて、ひもを引く前の状態である。（半開きの状態）【００１０】図４は上記のひも２本の両端４本を束ねて４本を一度で引いた形である。
引いたひもを固定すれば、閉じた骨も固定される。又、ひもをゆるめると、自然に図３の状態に戻る。【００１１】図１，図２、図３、図４は１，２，３，４，５，６，７，８，１、の円を２分割し、２本のひもを引くことを前提としているが、これはひもの長さを調節するためであり、限定するものではない。たとえば１，２，３，４，５，６，７，８，１、にひもを１本通せば１本でもひける。傘にはさまざまな大きさ、長さ、骨の数があるため、骨の数が９本あれば３分割してひくこともできる。すなわち、ひも通しの穴の位置や、ひもの本数、ひもの長さは、その傘に応じて適宜選択されるものである。
【産業上の利用可能性】
【００１２】本発明は傘を製造、販売する産業分野で利用することができる。
【図面の簡単な説明】
【００１３】
【図１】傘骨を開いたときの本発明の平面図である。
【図２】ひも通しの穴１，５の斜面図である。
【図３】ひもを引く前の傘骨の斜面図である。
【図４】ひもを引いた後の傘骨の側面図である。
【符号の説明】
【００１４】１，５                    ひも通しの穴（穴２つ）
２，３，４，６，７，８    ひも通しの穴（穴１つ）
９                        ひも（摩擦力の少ないテグス、釣り糸など）
１０                      傘骨
【図１】
2006068475.tif 000003
【図２】
2006068475.tif 000004
【図３】
2006068475.tif 000005
【図４】
2006068475.tif 000006
(57)【要約】【課題】着火させた複数の線香を安全に保持する線香立てを提供する。【解決手段】正三角形の各頂点の位置に立てた三本の支柱に、円形の金網を上下２段にして渡し、着火させた複数の線香を上方よりその網穴にくぐらせることにより、線香を安全に保持する線香立て。【選択図】    図１
2006068480.tif 000002
【特許請求の範囲】
【請求項１】
三本の支柱の内側に円形の金網を上下２段に配置し、着火させた複数の線香を上方よりその網穴にくぐらせることにより、線香を香炉内に安全に保持することを特徴とする線香立て。
【発明の詳細な説明】
【技術分野】
【０００１】  本発明は、着火させた複数の線香を香炉内で安全に保持する線香立てに関するものである。
【背景技術】
【０００２】  従来、線香は香炉内に満たされた灰に突き刺し、灰の圧力によって立たせていた。
【発明の開示】
【発明が解決しようとする課題】
【０００３】  そのために、次のような問題点があった。
燃焼中の線香は、それを取り囲む香炉灰の極めて弱い圧力では支えきれず、あるいは風などの外力によって容易に転倒し、火事の一因にもなっていた。
本発明は以上の問題点を解決しようとするものである。
【課題を解決するための手段】
【０００４】  正三角形の各頂点の位置に立てた三本の支柱に、円形の金網を上下２段にして渡す。着火させた複数の線香を上方より、上下２段の網穴にくぐらせることにより、線香を垂直に設けた２点によって支え、これを安全に保持することを特徴とする線香立てである。
【発明の効果】
【０００５】  倒れ易い香炉内の線香を簡単かつ安全に立たせておくことができ、火災などを防ぐことができる。
【発明を実施するための最良の形態】
【０００６】  以下、本発明の実施の形態について説明する。
（イ）支柱（１）の上方にフック（２ａ）を、そして下方にフック（２ｂ）を設ける。
（ロ）３本の支柱（１）を正三角形の各頂点の位置に配置する。
（ハ）金網（３）の網穴（４）を下フック（２ｂ）に掛けた後、同様にもう１枚の金網（３）を上フック（２ａ）に掛ける。
本発明は、以上の構成によりなっている。
本発明を使用するときは、上記の手順で組み上げたものを香炉（６）の内に据え置き、着火した線香（５）を上方より金網（３）の任意の網穴（４）にくぐらせて立たせる。上の網（３）と下の網（３）の各々の網穴（４）で支えられた線香（５）は転倒することがない。
【図面の簡単な説明】
【０００７】
【図１】本発明の斜視図
【図２】本発明を構成する２部品のうちの１つ目の斜視図
【図３】本発明を構成する２部品のうちの２つ目の斜視図
【図４】本発明の使用状態を示す斜視図
【符号の説明】
【０００８】  １  支柱
２  フック
３  金網
４  網穴
５  線香
６  香炉
【図１】
2006068480.tif 000003
【図２】
2006068480.tif 000004
【図３】
2006068480.tif 000005
【図４】
2006068480.tif 000006
(57)【要約】【課題】寝たきり及び肢体不自由者のための介護用湯上りタオルとして介護する者には使用上便利であり、介護対象者にはかかる負担を軽減されるよう工夫または配慮が成されているものを提供する。【解決手段】生地（１）の正面側（２）に切込み（４）を設け、正面側（２）を展開自在にすることで介護対象者への脱着が容易に行えることが出来、さらに介護対象者の頭部、首下、手脇、下半身などの細部を丁寧に拭き取ることが出来るよう構成した。【選択図】図１
2006068477.tif 000002
【特許請求の範囲】
【請求項１】
生地（１）に無撚糸を使用したことを特徴とする寝たきり及び肢体不自由者のための介護用湯上りタオル。
【請求項２】
生地（１）にタオル地を使用したことを特徴とする寝たきり及び肢体不自由者のための介護用湯上りタオル。
【請求項３】
首周り（５）を多角形に形成し、生地（１）の正面側（２）に切込み（４）を設け、正面側（２）を展開自在にすることで介護対象者への脱着が容易に行えることが出来、さらに介護対象者の頭部、首下、手脇、下半身などの細部を丁寧に拭き取ることが出来るよう構成したことを特徴とする寝たきり及び肢体不自由者のための介護用湯上りタオル。
【請求項４】
首周り（５）を円形に形成し、生地（１）の正面側（２）に切込み（４）を設け、正面側（２）を展開自在にすることで介護対象者への脱着が容易に行えることが出来、さらに介護対象者の頭部、首下、手脇、下半身などの細部を丁寧に拭き取ることが出来るよう構成したことを特徴とする寝たきり及び肢体不自由者のための介護用湯上りタオル。
【請求項５】
上記に構成される生地（１）の全ての端部をバイアステープ（６）にて、ほつれ防止を施していることを特徴とする寝たきり及び肢体不自由者のための介護用湯上りタオル。
【発明の詳細な説明】
【技術分野】
【０００１】本発明は寝たきり及び肢体不自由者のための介護用湯上りタオルに関するものである。
【背景技術】
【０００２】従来の介護用の湯上りタオルとしては、介護する者が使いやすく、また介護対象者への負担を軽減されるよう工夫された介護用タオル、あるいは簡易なバスローブとして利用出来るような介護対象者への配慮が成された介護用湯上りタオルは見当たらないのが現状である。
【発明の開示】
【発明が解決しようとする課題】
【０００３】解決しようとする問題点は、通常のタオルでの使用は介護する者にとって非常に不便であり、介護対象者にかかる負担を軽減出来るよう工夫または配慮が成されていない点である。
【課題を解決しようとする課題】
【０００４】本発明は寝たきり及び肢体不自由者のための介護用湯上りタオルとして使用及び着用時に正面側になるタオル生地に切込みを設け、展開自在にすることで、介護する者が使いやすく、また介護対象者への負担を軽減するよう工夫が成された介護用タオル、あるいは簡易なバスローブとして利用出来るよう介護対象者への配慮が成されていることを最も主要な特徴としている。
【発明の効果】
【０００５】本発明の寝たきり及び肢体不自由者のための介護用湯上りタオルは生地の材質に無撚糸を用いることで吸水性を高め、使用及び着用時に正面側になるタオル生地に切込みを設け、展開自在にすることで、介護対象者への脱着が容易に行えることが出来、さらに介護対象者の頭部、首下、手脇、下半身などの細部を丁寧に拭き取ることが出来るよう構成することで介護する者には使用が便利となり、介護対象者には、かかる負担を軽減することが出来た。
【０００６】また介護対象者への配慮として簡易なバスローブとして利用出来るようにした。
【発明を実施するための最良の形態】
【０００７】本発明の寝たきり及び肢体不自由者のための介護用湯上りタオルを実施するための最良の形態について図面を参照して説明する。
【実施例】
【０００８】図１は、３角形の首周り（５）を形成した本発明の介護用湯上りタオルの構成を記す図である。【０００９】生地（１）に吸水性の高い無撚糸あるいはタオル地を用い、正面側（２）に切込み（４）を設け正面側（２）を展開自在にすることで、介護対象者への脱着が容易に行えることが出来、さらに介護対象者の頭部、首下、手脇、下半身などの細部を丁寧に拭き取ることが出来るよう構成した。【００１０】また構成される生地（１）の全ての端部をバイアステープ（６）にて、ほつれ防止を施していると同時に、デザイン性を高めている。【００１１】図２は、円形の首周り（５）を形成した本発明の介護用湯上りタオルの構成を記す図である。【００１２】多角形または円形に形成される首周り（５）やバイアステープ（６）の色、生地（１）の色で商品としてのバリエーションを豊富にすることが出来る。【００１３】図３は、使用及び着用時を正面から記す図である。【００１４】図４は、使用及び着用時を背面から記す図である。【００１５】図３、図４に記すように本発明の介護用湯上りタオルは、湯上りタオルとしての利用の他に簡易なバスローブとしても利用が出来る。
【産業上の利用可能性】
【００１６】本発明の寝たきり及び肢体不自由者のための介護用湯上りタオルは、上記の構成から成るため、病院、老人ホーム、介護施設など幅広い利用の分野が見込まれ、介護する者には便利であり、介護対象者への負担が軽減され、配慮されたものであるため、両者への利便性が高く産業上の利用の可能性は広いものである。
【図面の簡単な説明】
【００１７】
【図１】多角形の首周りを有する形状図である。
【図２】円形の首周りを有する形状図である。
【図３】使用着用時の正面図である。
【図４】使用着用時の背面図である。
【符号の説明】
【００１８】  １  生地
２  正面側
３  背面側
４  切込み
５  首周り
６  バイアステープ
【図１】
2006068477.tif 000003
【図２】
2006068477.tif 000004
【図３】
2006068477.tif 000005
【図４】
2006068477.tif 000006
(57)【要約】      （修正有）【課題】カッターナイフと鉛筆の持ち替え動作をなくし、効率を上げたカッティング作業ができるペンシル付きカッターナイフを提供する。【解決手段】カッターナイフとシャープペンシル２を合体させた。【選択図】図１
2006068474.tif 000002
【特許請求の範囲】
【請求項１】
カッターナイフと描画用のペンシルを合体させた物
【発明の詳細な説明】
【発明の詳細な説明】
【技術分野】
【００１】本発明はカッターナイフと描画用のペンシルを融合する事により、ボード等カット作業時の両者の持ち変えを不要にしたものである
【背景技術】
【００２】従来はカッターナイフと鉛筆は別々であった
【発明が解決しようとする課題】
【００３】ボード張工法等建築作業等では鉛筆で寸法を記印する作業とカッターで切る作業が頻繁に行われるが、その持ち替えの動作をなくすることにより作業をスピードアップしたい
【課題を解決するための手段】
【００４】カッターナイフと鉛筆を合体させる
【発明を実施するための最良の形態】
【００５】以下，本発明の実施の形態について説明する
（イ）カッターナイフ後部にシャープペンシル取り付け部分を確保する
（ロ）（イ）部分にシャープペンシルを組み込む
【発明の効果】
【００６】上下を反転させる動作だけで済むので両者持ち変え作業が単純になった
【図面の簡単な説明】
【図１】当発明を示したダイヤルロック式「ペンシル付きカッターナイフ」の概略図である
【図２】当発明を示した自動ロック式「ペンシル付きカッターナイフ」の概略図である
【符号の説明】
１  発明の「ペンシル付きカッターナイフ」本体
２  シャープペンシル部分
３  シャープペンシル芯繰り出し用ノック部分
４  シャープペンシル先端部分
５  カッター刃固定用ダイヤル
６  カッター刃繰り出し固定用スライダ
【図１】
2006068474.tif 000003
【図２】
2006068474.tif 000004
(57)【要約】【課題】従来は、大仕掛けで複雑なリンク式や電動式の昇降棚はあるが、手軽に高い所に収納する手段がない。そこで、簡単かつ安全に高い所に収納できる便利な昇降ケースを提供する。【解決手段】底面を開放したケースの中で上げ下げできる昇降ケースの背面に、任意の高さで停止できる心張り式ストッパーと、それを解除するための操作ハンドルつけたことを特徴とする昇降式高所収納ケース。【選択図】図４
2006068476.tif 000002
【特許請求の範囲】
【請求項１】
底面を開放した固定ケースの中を上げ下げできる昇降ケースの背面に、作用角度５〜３０度で機能する心張り式のストッパーを設け、それを解除するための操作ハンドルを昇降ケースの底面に装着したことを特徴とする押し上げ式高所収納ケース。
【請求項２】
上面側開放した固定ケースの中を上げ下げできる昇降ケースの背面に、作用角度５〜３０度で機能する心張り式のストッパーを設け、それを解除するための操作ハンドルを昇降ケースの上面に装着した（請求項１に記載の収納ケースの機能を上下逆に設定した）ことを特徴とする吊り降ろし式低所収納ケース。
【発明の詳細な説明】
【技術分野】
【０００１】  本発明は、底面を開放した固定ケースの中を、上げ下げできる昇降ケースの背面に作用角度５〜３０度で機能する心張り式ストッパと、それを解除するためのハンドルをつけた押し上げ式高所収納ケースに関するものである。
【背景技術】
【０００２】  従来、複雑で大掛かりなリンク機構や電動で昇降する収納棚はある。
【発明の開示】
【発明が解決しようとする課題】
【０００３】  しかし、次のような問題がある。
（イ）収納スペースとして利用したい高所空間に、簡単に取り付けできない。
（ロ）収納スペース以外に付帯スペースが必要である。
本発明は、これらの問題点を解決するためになされたものである。
【課題を解決するための手段】
【０００４】  昇降ケースの背面に、作用角度５〜３０度程度で機能する心張り式のストパーを設ける。そのストッパーを解除するための操作ハンドルを設ける。以上を特徴とする高所収納ケースである。
【発明の効果】
【０００５】  簡単に取り付けることができる。高い所に安全に楽に物品を収納できる。
【発明を実施するための最良の形態】
【０００６】  以下、本発明の実施の形態について図４で説明する。
（イ）昇降ケース（２）の背板（３）に軸ピン（５）を２カ所設ける。
（ロ）軸ピン（５）にそれぞれ心張り（４）を装着する。
（ハ）心張り（４）に引っ張りスプリング（６）取り付ける。
（ニ）背板（３）にハンドルガイド（８）を２カ所に取り付ける。
（ホ）ハンドルガイド（８）に心張り解除ハンドル（７）を装着する。
本発明は以上のような構成で、これを使用するときは、物を収納した昇降ケース（２）を押し上げる。心張り（４）は働かないため楽に押し上げることができる。押し上げ力をゆるめると、引っ張りスプリング（６）が加勢して心張り（４）が機能して昇降ケース（２）は止まる。心張り解除ハンドル（７）を押していれば、心張り（４）が無効になり、昇降ケース（２）が降りてくる。心張り解除ハンドル（７）を押すのを止めれば、昇降ケース（２）は任意の位置で止まる。
【実施例１】
【０００７】  図５に示すように、引っ張りスプリング（６）の位置を変え、心張り解除の方法を、押す形式から、ワイヤー（９）で引く形式にすることもできる。
【実施例２】
【０００８】  図６は図４に示す各部品を上下逆に設定し吊り降ろし式にした例である。
【図面の簡単な説明】
【０００９】
【図１】本発明品の正面図
【図２】本発明品の側断面図
【図３】本発明品の背側断面図
【図４】本発明品の実施例を示す背側断面図
【図５】本発明品の実施例１を示す背側断面図
【図６】本発明品の実施例２を示す背側断面図
【符号の説明】
１  固定ケース
２  昇降ケース
３  昇降ケースの背板
４  心張り
５  軸ピン
６  引っ張りスプリング
７  心張り解除ハンドル
８  ハンドルガイド
９  ワイヤー
【図１】
2006068476.tif 000003
【図２】
2006068476.tif 000004
【図３】
2006068476.tif 000005
【図４】
2006068476.tif 000006
【図５】
2006068476.tif 000007
【図６】
2006068476.tif 000008
(57)【要約】【課題】  歯磨きの際、歯表面と歯間の隙間との奥行の差がある部分や凹凸部分に歯ブラシの毛先がぴったりと密着して歯垢をもっときれいにかき出すことができる。また歯ブラシの毛先がソフトタッチな感触で歯ぐきを傷めずにしつこい歯垢を掃き出すことができる。そして、歯磨きの回数が増す毎に歯ブラシの毛先が反ったり折れ曲がってしまい、毛先がひらいてしまうことで、ぴったり密着した感触の歯磨き行為が長く持続しない。【解決手段】  本発明の正面から見たブラシ毛の形状１は二股構造である。このブラシ毛の二股構造は、毛先に加わる外圧に対してブラシ毛を外側に膨らませて屈伸運動することによって加わる力を二分して吸収する。外圧の力を二分吸収することによって、毛先が反ったり折れ曲がったりする欠点を抑制できる。また、歯ブラシを握る握力も軽減できる。従って今までに無いソフトタッチな感触でしつこい歯垢を掃き出すことがでる。【選択図】  図５
2006068473.tif 000002
【特許請求の範囲】
【請求項１】
本発明の歯ブラシのブラシ毛の概観は、従来のナイロン毛２本の毛先を接着して二脚一本の二股構造である。ブラシ毛を山型に折り曲げてた先の尖った突起物の棘ような形状を表わす。この突起状の二股構造のブラシ毛は凸凹状の面を磨く場合に効果を上げる。ブラシ毛先が凸部の歯表面に突き当たる場合はブラシ毛の両脚が外側へ膨らんで毛先が縮み、ブラシ毛先が凹部の歯間の隙間へ入る場合は毛先に外圧が加わらないのでブラシ毛は伸びた状態を保つ。このように二股構造のブラシ毛は、ブラシ毛自体が屈伸運動することによって、毛先が突き当たる凹凸部にぴったりと密着することができる。
【請求項２】
本発明の歯ブラシは、ブラシ台上に帯状の溝を設けて帯状のブラシ毛を植え込む手法を採用する。二股構造のブラシ毛はブラシ台上の帯状の溝に埋め込むため、ブラシ毛は下部が切断されず重なり合って連なる帯状の構造とする。本発明のブラシ毛をブラシ台に埋め込む方法は、ブラシ台に直線的帯状のブラシ毛を配置する配列と螺旋状のブラシ毛を配置する配列の２タイプを設定する。
【発明の詳細な説明】
【技術分野】
【０００１】本発明のブラシ毛は、２本のブラシ毛の毛先を接着した形状を表わし、二脚一本の二股構造である。またそのブラシ毛が帯状に連なった配列構造をしている。この帯状のブラシ毛を歯ブラシのブラシ台に直線的平行配列と螺旋状配列の２タイプを設定して埋め込んだものである。
【背景技術】
【０００２】従来の歯ブラシのブラシ毛は、単一形状の１本のブラシ毛を束ねて、ブラシ台の植込み穴に埋め込んだものである。毛先を山型にカットしたり、毛先を細く尖らせたり、又は毛先を丸くしたものがあるが、全て１本形状のブラシ毛を束ねてブラシ台の円い穴に埋め込んだものである。
【発明の開示】
【発明が解決しようとする課題】
【０００３】歯ブラシで歯を磨く際、歯の表面と歯間の隙間との奥行の差があるとき、または凹凸部分を磨くときなど、毛先が歯の表面と歯間の隙間にぴったりと密着して歯垢をきれいにかき出したい。また、歯の表面と歯間の隙間などの凹凸部分を磨いたり、歯磨きの回数が増す毎に、ブラシ毛に加わる圧力でブラシの毛先が反ったり折れ曲がったりして毛先が乱れてひらく。本発明はこれらの課題を解決するためになされたものである。
【課題を解決するための手段】
【０００４】歯の表面と歯間の隙間との奥行の差がある部分または歯の凹凸部分で、ブラシ毛先が凸部に圧されると、本発明の二股に分れたブラシ毛が外側に股を開いて屈伸運動を起こして、毛先が圧される力に反応して縮む。このようにブラシの毛先が圧される力加減に応じて屈伸運動をする構造になっているので、歯の表面と歯間の隙間にぴったりと密着して歯垢を取り易くする。また、ブラシの毛先が外側に股を開く屈伸運動することによって、ブラシ毛に加えられる圧力が吸収され、ブラシ毛が反ったり折れ曲がったりする歯ブラシの毛先がひらく欠点が抑制される。
【発明の効果】
【０００５】従来の歯ブラシのブラシ毛は１本１本の単体を束ねて埋め込んだ仕様であるので、加わる圧力に反ったり折れ曲がったりする頻度が多い。本発明の正面から見たブラシ毛の形状１は、毛先から二脚に分れた二股構造である。このブラシ毛の二股構造は、加わる圧力を二本の脚で支えて外圧を二分するので、ブラシの毛先がひらく原因となる毛先の反りや折れ曲がりを抑制する。そして、二股構造のブラシ毛の二脚は、凸部に圧される力に対して圧力を二分し分担して、外圧によってブラシ毛の二脚が外側に膨らむ屈伸運動を起こす。この二脚の屈伸運動が圧力を吸収する。因って、歯ブラシを握る握力も軽減できる。従って、今までに無いソフトタッチなブラッシングの感触でしつこい歯垢を掃き出すことがでる。
【発明を実施するための最良の形態】
【０００６】本発明は、ブラシ毛先の屈伸運動が歯と歯の隙間、凹凸部、歯と歯ぐきの境目に密着て、今までに無いソフトタッチな感触で歯垢を掃き出すブラシ毛の開発である。それを図面について説明する。
【実施例１】
【０００７】本発明のブラシ毛は、従来の２本のブラシ毛の毛先を接着しつなぎ合わせる発想に基づく。正面から見たブラシ毛の形状１は、毛先から根元へ二股に脚が分れるブラシ毛の構造を持つ。側面から見たブラシ毛の形状２は、正面から見たブラシ毛の形状１を１本１本単体で従来通りに束ねてブラシ台６の植込み穴に埋込むのではなく、ブラシ毛を帯状に重なり合って連続する構造にする。
【実施例２】
【０００８】本発明のブラシ毛は毛の硬さを設定する。ブラシ毛の太さと厚みによって、ふつう３、かため４、やわらかめ５の３つのタイプを設定する。
【実施例３】
【０００９】本発明のブラシ毛は、側面から見たブラシ毛の形状２の構造で帯状に重なり合って連続する。この帯状のブラシ毛を使用する歯ブラシは、ブラシ台に本発明のブラシ毛を直線帯状に配列したもの８、本発明のブラシ毛を螺旋状に配列したもの９の２タイプを設定する。
【図面の簡単な説明】
【００１０】
【図１】本発明の歯ブラシのブラシ毛の下部が離れた形状の平面図である。
【図２】本発明の歯ブラシのブラシ毛の下部が繋ぎ合された形状の平面図である。
【図３】下部が離れたブラシ毛の硬さと形状３段階の平面図である。
【図４】下部が繋ぎ合されたブラシ毛の硬さと形状３段階の平面図である。
【図５】下部が離れたブラシ毛の埋込み配列の平面図である。
【図６】下部が繋ぎ合されたブラシ毛の埋込み配列の平面図である。
【図７】ブラシ毛の埋込み配列図  従来の形態１タイプと本発明の形態２タイプ
【符号の説明】
【００１１】  １  正面から見たブラシ毛の形状
２  側面から見たブラシ毛の形状
３  ふつう
４  かため
５  やわらかめ
６  ブラシ台
７  従来の配置  円穴に配列したもの
８  本発明のブラシ毛を直線帯状に配列したもの
９  本発明のブラシ毛を螺旋状に配列したもの
【図１】
2006068473.tif 000003
【図２】
2006068473.tif 000004
【図３】
2006068473.tif 000005
【図４】
2006068473.tif 000006
【図５】
2006068473.tif 000007
【図６】
2006068473.tif 000008
【図７】
2006068473.tif 000009
(57)【要約】【課題】  側面が平面からなる洗濯槽において、対面する内面の表面に任意の数の連続する曲面、複数の凹凸を形成、槽内に内面に平行した相対した複数の棒状体を設置、装置により前後、回転の複合連動する起動により衣類等の洗浄対象物を洗浄することを可能にした洗濯機械装置。【解決手段】  その目的を達成する為、洗濯槽内面に連続した曲面と複数の凹凸の形成、回転前後動可能な棒状体を設置した。【特許請求の範囲】
【請求項１】
側面が平面からなる洗濯槽において、対面する内面の表面に任意の数の連続する曲面、複数の凹凸を形成、槽内に内面に平行した相対した複数の棒状体を設置、装置により前後、回転の複合連動する起動により衣類等の洗浄対象物を洗浄することを可能にした洗濯機械装置を提供する。
【請求項２】
洗濯槽内の汚れを形成した物質、洗剤を含む異物の除去については、洗濯槽内貯留水の排出後、洗濯槽内への一定の水の注入、洗濯槽内設置、形成した内面の連続した曲面、複数の凹凸、棒状体相互の複合作動、貯留水の排出再注入の反復により成し得る「請求項１」記載の洗濯機械装置。
【請求項３】
洗浄終了後における、洗浄対象物に浸潤した水分については、洗濯槽内貯留水を排出後、洗濯槽内面の連続した曲面、複数の凹凸、棒状体、相互の複合作動により排出することを特徴とする「請求項１」記載の洗濯機械装置。
【発明の詳細な説明】
【技術分野】
【０００１】洗浄対象物の洗浄の効率化とその効果の向上に関する。
【背景技術】
【０００２】
【特許文献１】
【特許文献２】
【発明の開示】
【発明が解決しようとする課題】
【０００３】  従来のドラム回転式の洗濯機械装置においては、多量の洗浄水を要し、その所要時間も長時間に及び、洗浄能力も低かった。本案は、前記課題に鑑みなされたもので、水流にのみ頼らず、直接的な力を加える事により、所要時間の短縮、所要水量の減少、洗浄対象物に対する、摩滅損傷をおさえながら、洗浄効果を高めることを目指した。
【課題を解決するための手段】
【０００４】  洗浄対象物に直接的、力学的刺激を与える事を目的とした、回転、前後動可能な棒状体を設置、洗濯槽内面に連続する曲面、複数の凹凸を形成した。
【発明の効果】
【０００５】  本体は以上の通り、構成されるものであるから、洗浄対象物の洗浄効果の向上、所要洗浄水量の低減、洗浄所要時間の短縮、洗浄対象物の摩滅・損傷の抑制効果が見込める。
【発明を実施するための最良の形態】
【０００６】  棒状体の外面については、硬質スポンジ、又は硬質スポンジと低反発スポンジの組合せにより形成、その反発力を利用、センサーにより、棒状体の前後動、回転動をコントロールし、槽内面の連続曲面、凹凸をそれぞれ有機的に機能させ、効率的な洗浄を行う。
【実施例１】
【０００７】
【産業上の利用可能性】
【０００８】  洗浄効率を高め、洗浄水の低減化が見込めることから、家庭一般用のみならず、その専門分野における応用も見込める。
(57)【要約】【課題】従来は、歯の洗浄には一般的に歯ブラシが使われているが、ブラシの柄の長さでブラシの先端にかかる力は軽減され、かつ、口腔内の粘膜を傷つけたりもし、汚れは完全には除去されなかった。【解決手段】歯を洗浄するブラシや、歯の表面を磨けるタオル様の物を直接指ではさみこめるようにしたことにより、より、歯にかかる力をコントロールでき、確実に汚れを除去できるようにした。【選択図】図１
2006068479.tif 000002
【特許請求の範囲】
【請求項１】
指で歯をはさんで歯の洗浄を行うために、歯を表裏両面から磨くべく、二つのブラシ（或いは、タオル状の物）をアーチ状につなげたことを特徴とする歯の洗浄用品
【請求項２】
歯の洗浄を行うブラシの部分を、用途に合わせて付け替える事も出来るようにしたことを特徴とする請求項１記載の歯科衛生用品。
【発明の詳細な説明】
【技術分野】
【０００１】  この発明は、歯の表面に付着する汚れを除去する形状に関する。
【背景技術】
【０００２】  従来の歯の洗浄に関する衛星器具は、歯ブラシや歯間ブラシなどであるが、なかなか歯の表面に頑固に付着する歯垢を完全に除去するのは難しい。
【発明の開示】
【発明が解決しようとする課題】
【０００３】しかしながら、以上の技術によれば、自分の指で、汚れの度合いに対応しながら、歯の表面に付着する歯垢や、ステインを除去できる。
そこで、この発明は、携帯にも便利で、簡単に歯の汚れを除去し、かつ歯茎のマッサージも出来る歯科衛生用具を提供することを課題とする。
【課題を解決するための手段】
【０００４】  以上の課題を解決するために、第一発明は、親指と人差し指（或いは中指）にはめて、歯を挟み込んで指の力で磨くことによって、より歯の表面に付着する歯垢やステインなどを除去しやすくしたことを特徴とする歯科衛生用品。
また、第二発明は、歯に接する面の素材を、ブラシや、タオル様の物に変えることにより、より携帯に便利でかつ、より汚れが除去しやすくなったことを特徴とする歯科衛生用品。
【発明の効果】
【０００５】  第一発明、または第二発明によれば、歯を指ではさみ、指の力で歯の洗浄を行う事が出来るため、より少ない力で効率的、かつ確実に歯の表面に付着する汚れを除去する事が出来る。。
【発明を実施するための最良の形態】
【０００６】  この発明の一実施形態を、図１に示す。
この歯科衛生用品の本体は、やわらかいプラスチック様の素材で出来ており、その先をブラシやタオル様の物につけ換える事ができる。【０００７】「実施形態の効果」
この実施形態によれば、自分の歯を自分の指ではさんで洗浄するため、従来のように歯ブラシで歯茎を傷つけたりしにくく、また、効率よい力で磨きたい場所の汚れを確実に除去する事が出来、小型の為、携帯にも便利である。【０００８】「他の実施形態」
図１の実施形態では、歯を洗浄するブラシの部分を目的にあわせて取り替えることが出来たが、他の実施形態では、やわらかいタオル様の素材に関しては、取り外しできるタイプではなく一体型のものでも良い。
【図面の簡単な説明】
【０００９】
【図１】この発明の一実施形態を示す斜視図である。
【図２】従来技術を示す斜視図である。
【符号の説明】
【００１０】  １  指ではさんで磨ける歯科衛生用品、本体
２  取り外し可能な部分の先端とそれを支える部分
【図１】
2006068479.tif 000003
【図２】
2006068479.tif 000004